(57)【特許請求の範囲】
【請求項１】
互いに所定間隔をもって並列に収納される複数のユニットと、該ユニットを収納する箱形状のキャビネット本体と、該キャビネット本体に収納した前記ユニットを前記キャビネット本体に形成した開口部から外へ第１の方向で引き出し、若しくは引き出した前記ユニットを前記第１の方向とは逆向きの第２の方向で前記キャビネット本体内へ収納するための引き出し機構とを含むユニット引き出し装置において、
前記引き出し機構は、前記ユニットに設けた複数のスライド部材と、前記キャビネット本体に設けた複数のガイド部材とを前記第１及び第２の方向でスライド可能に一対一に嵌め合わせたものであり、
前記ユニット間で前記スライド部材を固定しかつ前記ユニットの側面のそれぞれに設けた第１及び第２の取付部材と、該第１及び第２の取付部材間に位置して前記ガイド部材を固定しかつ前記キャビネット本体に固定した一対の固定ブラケット部材とを有し、
さらに、前記ユニットの一方とともに前記第１及び第２の取付部材の一方が前記第１の方向で引き出されたときに、もう一方の前記ユニットの引き出しを規制する引き出し規制機構を有し、
前記引き出し規制機構は、前記第１及び第２の取付部材のそれぞれに形成した取付規制板部と、一方の前記固定ブラケット部材に回動可能に軸支した規制板部材とを有し、
一方の前記固定ブラケット部材は、前記キャビネット本体に固定されている固定板部と、該固定板部の上方で前記固定板部に対して平行に位置しているスライド規制板部と、前記固定板部及び前記スライド規制板部を相互に接続している保持板部とを有し、
前記スライド規制板部には、前記規制板部材を回動可能に軸支持した軸が立設されており、
前記規制板部材は、一方の前記取付規制板部に押し当てられて回動しもう一方の前記取付規制板部に対向させることによって、もう一方の前記ユニットの引き出しを規制する板形状からなる一対の規制板部を有し、
一方の前記取付規制板部には、一方の前記規制板部の板面が押されるよう前記第１の方向側の端部が切り欠けられた一方の切り欠け部が形成されており、もう一方の前記取付規制板部には、一方の前記規制板部の板面が一方の前記切り欠け部によって押されることによって、もう一方の前記規制板部の板面が対向して前記第２の取付部材の前記第１の方向における移動を妨げるよう前記第１の方向側の端部が切り欠けられたもう一方の切り欠け部が形成されており、
前記切り欠け部を形成することによって露出している前記スライド規制板部上には、前記軸と前記軸に軸支されている前記規制板部材とが位置していることを特徴とするユニット引き出し装置。
【請求項２】
請求項１記載のユニット引き出し装置において、前記スライド規制板部は、前記第１及び第２の方向に対して平行な方向で長い寸法に延びており、前記取付規制板部が前記スライド規制板部の上方で前記第１及び第２の方向へスライド可能に前記第１及び第２の取付部材に形成されていることを特徴とするユニット引き出し装置。
【請求項３】
請求項１記載のユニット引き出し装置において、前記第１及び第２の取付部材は、前記ユニットのそれぞれに取り付けられている取付基板部と、該取付基板部の上端から前記スライド規制板部に対向するように曲げられて形成されている取付天板部と、該取付天板部から前記取付基板部に対向するよう曲げられて形成されている前記取付規制板部とを有し、前記取付基板部には前記スライド部材が固定されていることを特徴とするユニット引き出し装置。
【請求項４】
請求項３記載のユニット引き出し装置において、前記スライド規制板部の上面には、前記取付天板部のそれぞれに対向して前記第１及び第２の方向に長い寸法の延長ブラケット部材が一対一に設けられており、前記延長ブラケット部材は、前記スライド規制板部の上面で前記第１及び第２の方向へスライド可能に止具によって保持されており、前記延長ブラケット部材における前記第１の方向の先端には、前記スライド規制板部の面上方向へ曲げられている係止片が形成されており、前記取付天板部には、前記ユニットを引き出したときに前記第２の方向の先端近傍で前記係止片に係止する相手係止部が形成されていることを特徴とするユニット引き出し装置。
【請求項５】
請求項１記載のユニット引き出し装置において、前記規制板部は、前記軸側から半径方向へ延在しており、前記規制板部は、前記第１及び第２の取付部材のいずれかが前記第１の方向へスライドしたときに前記切り欠け部のいずれかの端が突き当るよう前記切り欠け部側の前記規制板部間の角度が鈍角に設定されていることを特徴とするユニット引き出し装置。
【請求項６】
請求項５記載のユニット引き出し装置において、少なくとも前記取付規制板部の一方には、前記スライド規制板部が前記第１の方向へスライドしたときに前記規制板部との突き当てを逃げるよう前記第１の方向側の先端における前記切り欠け部の端から前記第２の方向側へ付加切り欠け部が形成されていることを特徴とするユニット引き出し装置。
【発明の詳細な説明】
【０００１】
【発明の属する技術分野】
本発明は、複数のユニットを択一的に引き出し、若しくは収納するユニット引き出し装置に属する。
【０００２】
【従来の技術】
従来のキャビネットは、箱形状のキャビネット本体と複数のユニットとを有している。キャビネット本体の内部には、複数のユニットが収納されている。キャビネットの前面には、ユニットを引き出すための開口部が形成されている。引き出しユニットを引き出す際には、キャビネット本体から所望するユニットを開口部の前方へ引き出す。
【０００３】
キャビネット本体の内部には、ユニットを前方へ正しい姿勢によって引き出すためのガイド部材が設けられている。一方、ユニットには、ガイド部材によってガイドされながら、ユニットを引き出しができるように、ガイド部材に嵌め込まれているスライド部材が設けられている。引き出されたユニットは、収納時にキャビネットの内部の後方へ押しもどすことによってキャビネット内へ収納される。
【０００４】
【発明が解決しようとする課題】
従来のユニットは、通常、一つずつ引き出しされる。しかし、誤って複数のユニットを同時に引き出した場合には、ユニットの重量によって重心がキャビネット本体の前方にずれてしまう。したがって、キャビネット本体は、転倒角が満足できないという問題がある。
【０００５】
よって、キャビネットは前方に傾いてしまうので、キャビネット上に置いてあるものが落下したり、破壊したり床を汚したりすうという問題がある。
【０００６】
また、スライド部材やガイド部材の構成部品は、これらを直接ロックして誤って複数のユニットを同時に引き出せないように構成することが提案されている。しかし、ロック状態にあるスライド部材やガイド部材をむりやり引き出した場合には、スライド部材やガイド部材に傷等をつけるため破損の可能性がある。
【０００７】
さらに、スライド部材の構成品を直接ロックした場合には、他のユニットを引き出すことができず、他のユニットを少しの引き出し量で引き出したい場合においても、同時に他のユニットを少しの引き出し量で引き出す作業ができないという問題がある。
【０００８】
それ故に、本発明によるユニット引き出し装置は、ユニットの重量が重い場合に転倒角を満足するために、ユニットが引き出せる数を簡単な機構によって制限することができるユニット引き出し装置を提供することにある。
【０００９】
また、本発明の他の課題は、電気的な動力を使用していないため装置電源がＯＦＦされていても引き出しを行うことができるユニット引き出し装置を提供することにある。
【００１０】
また、本発明の他の課題は、スライド部材やガイド部材に傷等を付けることがないユニット引き出し装置を提供することにある。
【００１１】
さらにまた、本発明の他の課題は、スライド部材の引き出し量がスライド部材の長さ寸法よりもより大きい寸法であっても正しい姿勢によって安定した状態で引き出しができるユニット引き出し装置を提供することにある。
【００１２】
【課題を解決するための手段】
本発明によれば、互いに所定間隔をもって並列に収納される複数のユニットと、該ユニットを収納する箱形状のキャビネット本体と、該キャビネット本体に収納した前記ユニットを前記キャビネット本体に形成した開口部から外へ第１の方向で引き出し、若しくは引き出した前記ユニットを前記第１の方向とは逆向きの第２の方向で前記キャビネット本体内へ収納するための引き出し機構とを含むユニット引き出し装置において、前記引き出し機構は、前記ユニットに設けた複数のスライド部材と、前記キャビネット本体に設けた複数のガイド部材とを前記第１及び第２の方向でスライド可能に一対一に嵌め合わせたものであり、前記ユニット間で前記スライド部材を固定しかつ前記ユニットの側面のそれぞれに設けた第１及び第２の取付部材と、該第１及び第２の取付部材間に位置して前記ガイド部材を固定しかつ前記キャビネット本体に固定した一対の固定ブラケット部材とを有し、さらに、前記ユニットの一方とともに前記第１及び第２の取付部材の一方が前記第１の方向で引き出されたときに、もう一方の前記ユニットの引き出しを規制する引き出し規制機構を有し、前記引き出し規制機構は、前記第１及び第２の取付部材のそれぞれに形成した取付規制板部と、一方の前記固定ブラケット部材に回動可能に軸支した規制板部材とを有し、一方の前記固定ブラケット部材は、前記キャビネット本体に固定されている固定板部と、該固定板部の上方で前記固定板部に対して平行に位置しているスライド規制板部と、前記固定板部及び前記スライド規制板部を相互に接続している保持板部とを有し、前記スライド規制板部には、前記規制板部材を回動可能に軸支持した軸が立設されており、前記規制板部材は、一方の前記取付規制板部に押し当てられて回動しもう一方の前記取付規制板部に対向させることによって、もう一方の前記ユニットの引き出しを規制する板形状からなる一対の規制板部を有し、一方の前記取付規制板部には、一方の前記規制板部の板面が押されるよう前記第１の方向側の端部が切り欠けられた一方の切り欠け部が形成されており、もう一方の前記取付規制板部には、一方の前記規制板部の板面が一方の前記切り欠け部によって押されることによって、もう一方の前記規制板部の板面が対向して前記第２の取付部材の前記第１の方向における移動を妨げるよう前記第１の方向側の端部が切り欠けられたもう一方の切り欠け部が形成されており、前記切り欠け部を形成することによって露出している前記スライド規制板部上には、前記軸と前記軸に軸支されている前記規制板部材とが位置していることを特徴とするユニット引き出し装置が得られる。
【００１３】
【作用】
本発明によるユニット引き出し装置では、ユニットをキャビネット本体から引き出す場合に、第１の取付部材が第１の方向側へ引き出される。第１の取付部材が開口部から少し外へ引き出されると、規制板部材の一方の規制板部が切り欠け部の端によって押さ部材ことによって、回転方向側へ反転する。この後、一方の規制板部は、取付側板部に沿って押された状態となる。これにより、もう一方の規制板部は、もう一方の取付規制板部における切り欠け部の移動を妨げることによって、第２の取付部材の可動エリアを他方の規制板部が邪魔をしスライドを阻止する。したがって、もう一方のユニットは、引き出し規制機構によって引き出すことができなくなるように規制する。
【００１４】
さらに、延長ブラケットの係止片と相手係止片とは、これらが当接して互いに係止し、延長ブラケットが引き出される。これにより、ユニットはキャビネット本体から外れることなく引き出し機能が継続される。
【００１５】
【発明の実施の形態】
以下、図面を参照して、本発明に係るユニット引き出し装置における第１実施の形態例を説明する。図１及び図２は、第１実施の形態例におけるユニット引き出し装置を備えているキャビネットの全体構成を示している。
【００１６】
図１及び図２を参照して、キャビネット１１は、箱形状のキャビネット本体１２と、このキャビネット本体１２の内部に収納されている第１のユニット１３及び第２のユニット１４と、第１及び第２のユニット１３，１４の引き出しを行うための引き出し規制機構とを有している。
【００１７】
箱形状を呈する第１及び第２のユニット１３，１４には、例えば、電子機器若しくは書類などの被収納部が収納される。キャビネット本体１２は、互いに平行に所定間隔をもって位置している第１及び第２の側板部１２ａ，１２ｂと、第１及び第２の側板部１２ａ，１２ｂの下端間を相互に接続している底板部１２ｃと、この底板部１２ｃに平行にかつ第１及び第２の側板部１２ａ，１２ｂの上端間を相互に接続している天板部１２ｄとを有している。
【００１８】
キャビネット本体１２は、第１及び第２の側板部１２ａ，１２ｂと、底板部１２ｃと、天板部１２ｄとによって四角筒形に形成されている。キャビネット本体１２の前方側は、開口部１２ｅとなっており、後方側が奥板部１２ｆによって閉塞されている。キャビネット本体１２の開口部１２ｅは、第１及び第２のユニット１３，１４を前方へ引き出すことを可能にするものである。
【００１９】
奥板部１２ｆは、第１及び第２のユニット１３，１４がキャビネット本体１２へ収納されている状態で、後方から外へ脱落を防止するものである。さらに、キャビネット本体１２には、第１の側板部１２ａに結合し、一方の開口部１２ｅを開閉可能とした扉１５が設けられている。
【００２０】
第１及び第２のユニット１３，１４は、キャビネット本体１２の内部で第１及び第２の側板部１２ａ，１２ｂ間において所定間隔をもって並列（図２における左右）に収納されている。
【００２１】
キャビネット本体１２と第１及び第２のユニット１３，１４との間には、引き出し機構が設けられている。引き出し機構は、第１及び第２のユニット１３，１４を開口部１２ｅから外へ正しい姿勢によって引き出し、及び引き出された第１及び第２のユニット１３，１４をキャビネット本体１２内へ収納するものである。さらに、キャビネット本体１２内において第１及び第２のユニット１３，１４間には、引き出し規制機構が介在している。
【００２２】
第１のユニット１３をキャビネット本体１２から外へ引き出す際には、開口部１２ｅから第１の方向である前方向Ｉ（図１を参照）へ引き出すことによってキャビネット本体１２の外へ第１のユニット１３を引き出す。同様に、第２のユニット１４をキャビネット本体１２の外へ引き出す際には、開口部１２ｅから前方向Ｉへ引き出すことによってキャビネット本体１２の外へ第２のユニット１４を引き出す。
【００２３】
逆に、引き出された第１もしくは第２のユニット１３，１４をキャビネット本体１２内へ収納するには、前方向Ｉとは逆方向の第２の方向である後方向ＩＩ（図１を参照）へ第１もしくは第２のユニット１３，１４を押し込むことによって第１もしくは第２のユニット１３，１４がキャビネット本体１２内に収納さ部材。
【００２４】
以下、図３をも参照して具体的な構成を述べる。第１のユニット１３は、引き出し機構として、第１の側板部１２ａの内面に対向する外側面１３ａに設けられている２つの第１の外側スライド部材２１ａ，２１ｂと、収納時に第２のユニット１４に対向する外側面１３ｂに固定されている第１の取付部材２３と、この第１の取付部材２３に設けられている１つの第１の内側スライド部材２５とを有している。
【００２５】
２つの第１の外側スライド部材２１ａ，２１ｂは、第１のユニット１３の上下方向に位置しているとともに、前方向Ｉ及び後方向ＩＩに平行な方向で開口部１２ｅ側と奥板部１２ｆとの間に延びている。第１の内側スライド部材２５は、第１のユニット１３の下部で前方向Ｉ及び後方向ＩＩに平行な方向で開口部１２ｅと奥板部１２ｆとの間に延びている。
【００２６】
第２のユニット１４は、引き出し機構として、第２の側板部１２ｂの内側面に対向する外側面１４ａに設けられている２つの第２の外側スライド部材３１ａ，３１ｂと、収納時に第１のユニット１３の外側面１３ｂに対向する外側面１４ｂに固定されている第２の取付部材３３と、この第２の取付部材３３に設けられている１つの第２の内側スライド部材３５とを有している。
【００２７】
２つの第２の外側スライド部材３１ａ，３１ｂは、第２のユニット１４の上下方向にかつ前方向Ｉ及び後方向ＩＩに平行な方向で開口部１２ｅと奥板部１２ｆとの間に延びている。第２の内側スライド部材３５は、第２のユニット１４の下部で前方向Ｉ及び後方向ＩＩに平行な方向で開口部１２ｅと奥板部１２ｆとの間に延びている。
【００２８】
第１の側板部１２ａの内側面には、引き出し機構として、２つの第１の外側ガイド部材４１ａ，４１ｂが設けられている。第１の外側ガイド部材４１ａ，４１ｂには、２つの第１の外側スライド部材２１ａ，２１ｂを前方向Ｉ及び後方向ＩＩで移動可能となすように一対一に嵌め込んでいる。
【００２９】
第２の側板部１２ｂの内側面には、引き出し機構として、２つの第２の外側ガイド部材４２ａ，４２ｂが設けられている。第２の外側ガイド部材４２ａ，４２ｂには、２つの第２の外側スライド部材３１ａ，３１ｂを前方向Ｉ及び後方向ＩＩで移動可能となすように一対一に嵌め込んでいる。
【００３０】
第１の内側スライド部材２５は、第１の内側ガイド部材４５にスライド可能に嵌め込まれている。第１の内側ガイド部材４５は、第１の内側スライド部材２５面とは反対となる反対面で第１の固定ブラケット部材５１に固定されている。第１の固定ブラケット部材５１は、キャビネット本体１２の底板部１２ｃに固定されている第１の固定板部５１ａと、第１の固定板部５１ａから第１の側板部１２ａの内側面に平行な方向で底板部１２ｃ上へ延びている第１の保持板部５１ｂと、第１の保持板部５１ｂから底板部１２ｃに平行にかつ第１の内側ガイド部材４５とは反対となる方向へ延びているスライド規制板部５１ｃとを有している。
【００３１】
第１の固定ブラケット部材５１は、前方向Ｉ及び後方向ＩＩに長い寸法であり、前方向Ｉ及び後方向ＩＩを直交する断面で見ると、略クランク形状を呈している。
【００３２】
また、スライド規制板部５１ｃの上面には、前方向Ｉ及び後方向ＩＩに長い寸法の第１の延長ブラケット部材５３が設けられている。第１の延長ブラケット部材５３は、スライド規制板部５１ｃの上面で前方向Ｉ及び後方向ＩＩへ移動可能に第１の止具５４によって保持されている。第１の延長ブラケット部材５３における前方向Ｉの先端には、スライド規制板部５１ｃ面の上方へ曲げられている第１の係止片５３ａが形成されている。
【００３３】
第１の取付部材２３は、第２のユニット１４の外側面１４ｂに対向している第１のユニット１３の外側面１３ｂに取り付けられている第１の取付基板部２３ａと、この第１の取付基板部２３ａの上端からスライド規制板部５１ｃに平行にかつ対向するように曲げられて形成されている第１の取付天板部２３ｂと、この第１の取付天板部２３ｂから第１の取付基板部２３ａに対向し平行に曲げられて形成されている第１の取付規制板部２３ｃとを有している。
【００３４】
第１の取付天板部２３ｂには、後方向ＩＩの先端近傍で第１の延長ブラケット部材５３における第１の係止片５３ａに、後述する引き出し時に係止する第１の相手係止部２３ｆが形成されている。この第１の相手係止部２３ｆは、第１の取付天板部２３ｂの一部を切り欠いた後に、第１の取付天板部２３ｂの下側へ略直角に曲げることによって形成することができる。
【００３５】
さらに、第１の取付天板部２３ｂ及び第１の取付規制板部２３ｃは、前方向Ｉ側の端部が切り欠けられた第１の切り欠け部２３ｇが形成されている。第１の切り欠け部２３ｇを切り欠くことによって露出しているスライド規制板部５１ｃには、軸５５が立設されている。軸５５には、回動可能に規制板部材５６が軸支されている。規制板部材５６は、板形状を呈する一対の規制板部５５ａ，５５ｂを有している。
【００３６】
規制板部５５ａ，５５ｂは、軸５５側から半径方向に延在しており、規制板部５５ａ，５５ｂ間の角度が略直角になっている。即ち、規制板部５５ａ，５５ｂ間の角度は、第１の切り欠け部２３ｇに対向する側において鈍角に設定されている。規制板部５５ａ，５５ｂの一方は、第１の切り欠け部２３ｇの端が前方向Ｉへスライドしたときに突き当る部分となる。
【００３７】
第２の内側スライド部材３５は、第２の内側ガイド部材５８に嵌め込まれている。第２の内側ガイド部材５８は、第２の内側スライド部材３５が嵌め込まれている面とは反対となる反対面で第２の固定ブラケット部材６１に固定されている。
【００３８】
第２の固定ブラケット部材６１は、キャビネット本体１２の底板部１２ｃに固定されている第２の固定板部６１ａと、第１の固定板部６１ａに所定間隔をもって対向しかつ第２の固定板部６１ａから第２の側板部１２ｂの内面に平行な方向で底板部１２ｃ上へ延びている第２の保持板部６１ｂとを有している。
【００３９】
第２の固定ブラケット部材６１は、前方向Ｉ及び後方向ＩＩに長い寸法であり、前方向Ｉ及び後方向ＩＩを直交する断面で見ると、略逆Ｌ字形状を呈している。
【００４０】
スライド規制板部５１ｃの上面には、前方向Ｉ及び後方向ＩＩに長い寸法で、第１の延長ブラケット部材５３に平行に位置している第２の延長ブラケット部材６３が設けられている。第２の延長ブラケット部材６３は、スライド規制板部５１ｃの上面で前方向Ｉ及び後方向ＩＩへ移動可能に第２の止具６４によって保持されている。第２の延長ブラケット部材６３の前方向Ｉにおける先端には、スライド規制板部５１ｃ面の上方へ曲げられている第２の係止片６３ａが形成されている。
【００４１】
第２の取付部材３３は、第１のユニット１３に対向している第２のユニット１４の外側面１４ｂに取り付けられている第２の取付基板部３３ａと、この第２の取付基板部３３ａの上端からスライド規制板部５１ｃに平行にかつ上側で対向するように曲げられて形成されている第２の取付天板部３３ｂと、この第２の取付天板部３３ｂから第２の取付基板部３３ｂに対向するように平行に曲げられて形成されている第２の取付規制板部３３ｃとを有している。ここで、第２の取付規制板部３３ｃと第１の取付規制板部２３ｃとは所定間隔をもって対向している。
【００４２】
第２の取付天板部３３ｂには、後方向ＩＩの先端近傍に第２の延長ブラケット部材６３の前方向Ｉ側先端に形成されている第２の係止片６３ａに、後述する引き出し時に係止する第２の相手係止部３３ｆが形成されている。この第２の相手係止部３３ｆは、第２の取付天板部３３ｂの一部を切り欠いた後に、第２の取付天板部３３ｂの下側へ略直角に曲げることによって形成することができる。
【００４３】
第２の取付天板部３３ｂ及び第２の取付規制板部３３ｃには、前方向Ｉ側が切り欠いた第２の切り欠け部３３ｇが形成されている。第２の切り欠け部３３ｇによって露出しているスライド規制板部５１ｃには、前述した軸５５に回動可能に軸支されている一対の板形状の規制板部５５ａ，５５ｂを有する規制板部材５６が設けられている。他方の規制板部５５ｂは、第２の切り欠け部３３ｇの端が前方向Ｉへスライドしたときに突き当る部分となる。
【００４４】
従って、規制板部材５６は、軸５５を中心として自由に回動することができる。ここで、規制板部材５６とともに第１及び第２の切り欠け部２３ｇ，３３ｇの端は、第１及び第２の切り欠け部２３ｇ，３３ｇの端の一方が前方向Ｉへスライドしたときに突き当る部分となる引き出し規制機構となっている。
【００４５】
次に、図４をも参照して、ユニット引き出し装置の動作について説明する。
【００４６】
第１のユニット１３をキャビネット本体１２から引き出す場合には、第１の取付部材２３が第１の内側スライド部材２５とともに前方向Ｉ側へ引き出される。第１の取付部材２３が開口部１２ｅから少し外へ引き出されると、軸５５に軸支されている規制板部材５６の一方の規制板部５５ａの板面が第１の取付側板部２３における第１の切り欠け部２３ｇの端によって押されることによって、図４に示した回転方向Ａ側へ反転する。この後、一方の規制板部５５ａは、第１の取付側板部２３に沿って押された状態となる。これにより、もう一方の規制板部５５ｂの板面は、第２の取付規制板部３３ｃにおける第２の切り欠け部３３ｇに当たることから第２の取付部材３３の移動を妨げることによって、第２の取付部材３３の可動エリアをもう一方の規制板部５５ｂが邪魔をし、スライドを阻止する。したがって、第２のユニット１４は、引き出し規制機構によって引き出すことができなくなるように規制する。
【００４７】
さらに、第１のユニット１３は、第１の内側スライド部材２５の前方向Ｉ及び後方向ＩＩにおける長さ寸法以上に引き出されることも想定される。この場合には、第１の延長ブラケット５３における第１の係止片５３ａと、第１の取付部材２３における第１の相手係止片２３ｆとが当接して互いに係止し、第１の延長ブラケット５３が引き出される。これにより、第１のユニット１３はキャビネット本体１２から外れることなく引き出し機能が継続される。
【００４８】
第２のユニットをキャビネット本体１２から引き出す場合には、第２の取付部材３３が第２の内側スライド部材３５とともに前方向Ｉ側へ引き出される。第２の取付部材３３が開口部１２ｅから少し外へ引き出されると、軸５５に軸支されている規制板部材５６の他方の規制板部５５ｂが第２の取付規制板部３３ｃにおける第２の切り欠け部３３ｇの端によって押されることによって、図４に示した回転方向Ｂ側へ反転する。
【００４９】
この後、他方の規制板部５５ｂは、第２の取付規制板部３３ｃに沿って押された状態となる。これにより、軸５５に軸支されている規制板部材５６の一方の規制板部５５ａは、第１の取付規制板部２３ｃにおける第１の切り欠け部２３ｇの移動を妨げることによって、第１の取付部材２３の可動エリアを一方の規制板部５５ａが邪魔をしスライドを阻止する。したがって、第１のユニット１３は、引き出し規制機構によって、第１のユニット１３を引き出すことができなくなるように規制する。
【００５０】
さらに、第２の内側スライド部材３５の長さ寸法以上に第２のユニット１４が引き出された場合には、第２の延長ブラケット６３における第２の係止片６３ａと、第２の取付部材３３における第２の相手係止片３３ｆとが当接し、第２の延長ブラケット６３が引き出される。これにより、第２のユニット１４がキャビネット本体１２から外れることなく引き出し機能が継続される。
【００５１】
図５は、本発明のユニット引き出し装置における第２実施の形態例を示している。なお、第２実施の形態例におけるユニット引き出し装置は、第１実施の形態例と、第１の取付部材２３の一部における構成が異なるのみであることから、同じ部分には同じ符号を付して説明を省略する。
【００５２】
図５を参照して、第１の取付部材２３では、第１の取付規制板部２３ｃを前方向Ｉ側の先端における第１の切り欠け部２３ｇの端から後方向ＩＩ側へ付加切り欠け部２３ｊを形成している。即ち、第１の取付規制板部２３ｃは、後方向ＩＩ側の先端から前方向Ｉの途中までの形状とする。
【００５３】
この実施の形態例では、第１のユニット１３を途中まで引き出している間、軸５５に軸支されている規制板部材５６の一方の規制板部５５ａが第１の取付規制板部２３ｃにおける第１の切り欠け部２３ｇの端までの移動を妨げることがなく、第１の取付部材２３の可動エリアを一方の規制板部５５ａが邪魔することがない。
【００５４】
したがって、付加切り欠け部２３ｊの前方向Ｉ部分は、一方の規制板部５５ａの逃げ部分となるので、第２のユニット１４も少し引き出すことが可能となり、全く第２のユニット１４を引き出すことができなくなることがない。
【００５５】
よって、例えば、第１のユニット１３が引き出されているときに、付加切り欠け部２３ｊによって第２のユニット１４の引き出しを制限して引き出すことができるものである。
【００５６】
なお、第１及び第２実施の形態例では、２つの第１及び第２のユニット１３，１４を収納したキャビネット１１について説明したが、キャビネット本体１２内に、２つ以上のユニットを収納して引き出すものであっても、本発明を適用できることはいうまでもない。
【００５７】
また、キャビネット１１には、２つの第１及び第２のユニット１３，１４を並列にかつ左右に配列した構成によって説明したが、キャビネット本体１２内に複数のユニットを縦横に複数を収納するように構成するものであっても本発明を適用できる。
【００５８】
また、図２に示したキャビネット１１は、１８０度反転した状態において複数のユニットを保持する第１及び第２の内側スライド部材２５，３５、第１及び第２の取付部材２３，３３と、第１及び第２の固定ブラケット部材５１，６１を一組づつ追加することによっても容易に構成できる。
【００５９】
【発明の効果】
本発明によるユニット引き出し装置によれは、引き出し規制機構として第１及び第２の取付部材のそれぞれに形成した取付規制板部と、一方の取付規制板部に押し当てられて回動し取付規制板部のもう一方に対向させることによって、もう一方のユニットの引き出しを規制するよう固定ブラケット部材に回動可能に軸支した規制板部材とを有しているので、ユニットの重量が重い場合に転倒角を満足するためにユニットが引き出せる数を簡単な機構によって制限することができる。
【００６０】
また、本発明によるユニット引き出し装置によれは、電気的な動力を使用していないため装置電源がＯＦＦされていても引き出しを行うことができるユニット引き出し装置を提供することができる。
【００６１】
また、本発明によるユニット引き出し装置によれは、スライド部材やガイド部材にスライドをロックするロック構造を有していないので、スライド部材やガイド部材に傷等を付けることがないユニット引き出し装置を提供することができる。
【００６２】
また、本発明によるユニット引き出し装置によれは、ユニットを引き出したときに延長ブラケット部材の係止片と相手係止部とが係止するように構成したので、スライド部材の引き出し量がスライド部材の長さ寸法よりもより大きい寸法であっても正しい姿勢によって安定した状態で引き出しができる。
【００６３】
さらに、本発明によるユニット引き出し装置によれは、取付規制板部の一方にスライド規制板部が第１の方向へスライドしたときに規制板部との突き当てを逃げるように第１の方向側の先端における切り欠け部の端から第２の方向側へ付加切り欠け部を形成したので、一方のユニットが引き出されているときに、付加切り欠け部によってもう一方のユニットも少し引き出すことができ、もう一方のユニットが全く引き出せなくなるということがない。
【図面の簡単な説明】
【図１】本発明に係るユニット引き出し装置の第１実施の形態を示す斜視図である。
【図２】図１に示したユニット引き出し装置を開口部から見た状態を示す正面図である。
【図３】図１に示したユニット引き出し装置の引き出し規制機構を示す斜視図である。
【図４】図３に示したユニット引き出し装置の引き出し規制機構において、ユニットを引き出した状態を示す斜視図である。
【図５】本発明に係るユニット引き出し装置の第２実施の形態を示す斜視図である。
【符号の説明】
１２    キャビネット本体
１２ａ    第１の側板部
１２ｂ    第２の側板部
１２ｅ    開口部
１３    第１のユニット
１４    第２のユニット
２３    第１の取付部材
２３ａ    第１の取付基板部
２３ｂ    第１の取付天板部
２３ｃ    第１の取付規制板部
２３ｆ    第１の相手係止部
２３ｇ    第１の切り欠け部
２３ｊ    付加切り欠け部
２５    第１の内側スライド部材
３３    第２の取付部材
３３ｂ    第２の取付天板部
３３ｃ    第２の取付規制板部
３３ｆ    第２の相手係止部
３３ｇ    第２の切り欠け部
３５    第２の内側スライド部材
４５    第１の内側ガイド部材
５１    第１の固定ブラケット部材
５１ａ    第１の固定板部
５１ｂ    第１の保持板部
５１ｃ    スライド規制板部
５３    第１の延長ブラケット部材
５３ａ    第１の係止片
５４    第１の止具
５５    軸
５５ａ，５５ｂ    規制板部
５６    規制板部材
５８    第２の内側ガイド部材
６１    第２の固定ブラケット部材
６１ａ    第２の固定板部
６１ｂ    第２の保持板部
６３    第２の延長ブラケット部材
６３ａ    第２の係止片
６４    第２の止具
５６    規制板部材
【図１】
0003586664.tif 000002
【図２】
0003586664.tif 000003
【図３】
0003586664.tif 000004
【図４】
0003586664.tif 000005
【図５】
0003586664.tif 000006